(57)【要約】【課題】  マイクロ型キーボードの提供。【解決手段】  マイクロ型キーボードは、キーボード内に同一指で操作できる文字入力語彙群を整合式キーとし、それはキーボード基台上に複数個の整合式キーを設置し、各整合式キーに依ってマイクロ型キーボードを整合する。この整合式キーボード上には接触センサー板が設置され、一個以上の区画から区分され、各区画にそれに対応する文字を設定する。これによって同一指で操作できる文字入力語彙群を整合式キーとし、整合式キーによって指の位置が異なれば、異なる文字入力が対応し、キーボードの体積、キーの数を縮小し、入力ミスを下げる。【選択図】        図２
2007157105.tif 000002
【特許請求の範囲】
【請求項１】
キーボード基台上に複数個の整合式キーを設置し、各整合式キーに依って整合されるマイクロ型キーボードにおいて、この整合式キー上には、接触センサー板が設置され、一個以上の区画に分けられ、更に各一区画には対応する文字を設定し、これによって同一指で操作可能な文字入力語彙群を整合式キーとすることを特徴とするマイクロ型キーボード。
【請求項２】
前記整合式キーは、指運動の軌跡に基づき、一筋のキーを設計し、複数個の整合式キーをキーボード基台上に配列して分布することを特徴とする請求項１記載のマイクロ型キーボード。
【請求項３】
前記整合式キーは、表面の特定位置に凸紋を設置して指をスピーディに定位して識別することを特徴とする請求項１記載のマイクロ型キーボード。
【請求項４】
前記整合式キーは、表面の辺縁一側辺突起を具え、指運動を安定させることを特徴とする請求項１記載のマイクロ型キーボード。
【請求項５】
前記整合式キーは、表面がやや反った円弧形曲面を具えることを特徴とする請求項１記載のマイクロ型キーボード。
【請求項６】
前記マイクロ型キーボードは、更にカーソル接触制御板を設置し、マウスとして使用することを特徴とする請求項１記載のマイクロ型キーボード。
【請求項７】
前記キーボード基台は、更に無線送受信器を設置してホストコンピュータのホストポート無線送受信器に連接してホストコンピュータと無線で連結することを特徴とする請求項１記載のマイクロ型キーボード。
【請求項８】
前記マイクロ型キーボードは、ノート型パソコンのキーボードであることを特徴とする請求項１記載のマイクロ型キーボード。
【請求項９】
前記整合式キーは、各区画に対応する文字がホストコンピュータと共にモニター上に一個以上の整合式キー文字表を表示することを特徴とする請求項１記載のマイクロ型キーボード。
【請求項１０】
前記マイクロ型キーボードは、独立した左手操作基台と独立した右手操作基台から構成されることを特徴とする請求項１記載のマイクロ型キーボード。
【請求項１１】
前記左手、右手操作基台は、各々一対以上の対応する掛合部品が設置され、キーボード基台を合わせることを特徴とする請求項１０記載のマイクロ型キーボード。
【発明の詳細な説明】
【技術分野】
【０００１】
本発明は、マイクロ型キーボードに関するもので、特に同一指で操作する文字入力語彙群すべてが整合式単板のマイクロキーボードを指し、キーボードの体積、キーの数を有効に減らして、入力ミスを減らすものである。
【背景技術】
【０００２】
コンピュータの入力インターフェイスは、他でもなくキーボード、マウス、音声入力、手書識別入力等であるが、そのうちキーボードは最も必要とされるものである。しかし、公知のコンピュータキーボード1（図１参照）は、タイプライターを源としており、主に基台１０上に複数の符号キー１１を設置しており、手の大小により、キーの押し間違いを防ぐようになっている。そのため、コンピュータキーボード１のキー１１の体積は、小さくできない。この他、コンピュータの機能は日々進歩しているため、コンピュータキーボード１のキーの数は常に増加し、入力しづらくなっている。
【０００３】
コンピュータ機能の進歩に従い、キーボードのキーの数が増加し、キーボードの体積は日々大きくなっている。目下完全な機能を具えたコンピュータキーボードの大きさは、デスクの使用可能区域全体を覆っている。そのため多くのデスクでは、二層設計のデスクが登場しており、そのうちの一層はコンピュータキーボードを置くためであり、使用時にはキーボード卓面を引き出して使用し、その他の紙文書の処理に使用したい時には、必ずキーボード卓面を上層卓面の下に収納しなければならない。またはデスクの卓面をＬ字型に設計し、紙文書を作成しながら、コンピュータキーボードを置くものがある。しかし、これは空間を無駄に取り、且つキーボード操作面積が大きいことで、指がすべてのキーを覆い、また指の接触ミスでその他のキーを押さないようにしなければならないので、両手は常に空間に挙げてキーを打たなければならず、長時間の作業で手と指が非常に疲れ、指の移動距離が大きいほど、キーを打つスピードが下がる。
【０００４】
従来のキーが大きいため、文字入力の際にタッチミスを防がなければならない。特にあるキーを押す時、中心点の位置で押さず、指がキーボードの陥没した箇所を押した場合、隣のキーを誤って押してしまうことになる。更にキーの数が多く、少数のタイピング訓練を受けた人以外は通常タイピング時、先ず打つ字母を探すもしくは確認する、そして次にすでに入力した文字が正確かどうか確認することになり、目はキーボードとモニターを上下している。この時、頚部も一緒に動き、頚部と目の疲労が高まる。
【発明の開示】
【発明が解決しようとする課題】
【０００５】
本発明の目的は、マイクロ型キーボードを提供することで、主にキーボード基台上に複数個の整合式キーを設置し、各整合式キーに依ってマイクロ型キーボードが構成される。この整合式キー上には、接触センサー板が設置され、且つ一個以上の区画に分けられる。各区画にはそれに対応する文字が設定され、これにより同一指で操作可能な文字入力語彙群を整合式キーとし、メインコンピュータと共にモニター上に一個以上の整合式キー文字表を表示する。そのため、キーボードのキー数が減り、キーボードの体積を有効に大幅縮小でき、入力ミスを減らすことができる。
【０００６】
上述の本発明の整合式キーは、指で接触センサー板に触れているが、整合式キーはまだ押していない状態の時、押した文字を選び、モニター上に表示するため、ユーザは頭を下げてキーボードを見る必要がなく、先ず入力した文字を確認して目でモニター上を注視するだけでよい。
【０００７】
上述の本発明のマイクロ型キーボードは、一個以上の整合式キーが指の軌跡運動に基づいて一筋のキーを設計し、複数個の整合式キーはキーボード基台上で配列して分布し、ユーザは操作しやすい。
【０００８】
上述の本発明のマイクロ型キーボードのうち、整合式キーの表面の特定位置に凸紋を設置して指をスピーディに定位し、識別する。
【０００９】
上述の本発明のマイクロ型キーボードのうち、整合式キーの辺縁には、側辺突起を設置し、指運動を安定させる。
【００１０】
上述の本発明のマイクロ型キーボードのうち、整合式キーの表面は僅かに円弧形曲面を形成し、指が滑って誤動作するのを防止し、特に接触センサー板がコンデンサー式接触センサー板の場合、人の表層だけに反応し、爪に対しては反応しない。そのため整合式キーの表面が円弧形曲面である時、指押圧しやすく、指の先は爪の先より整合式キー表面に接触しやすい為、誤動作の発生が減る。
【００１１】
上述の本発明のマイクロ型キーボードのうち、キーボード基台は、独立した左手操作基台と独立した右手操作基台によって構成され、且つこの右、左操作基代は、必要に応じて単独にしたり、組み合わせてキーボードとして使用したりできる。
【００１２】
上述の本発明のマイクロ型キーボードは、ノート型パソコンのキーボードである。
【００１３】
上述の本発明のマイクロ型キーボードは、カーソル接触制御板を含む。
【００１４】
上述の本発明のマイクロ型キーボードは、キーボード無線送受信器を含み、メインコンピュータのポートを連接して無線で連結できる。
【００１５】
上述の本発明のマイクロ型キーボードは、メインコンピュータに連接し、メインコンピュータ内に含まれる駆動ソフトと共に作動し、モニター上に対応するマイクロ型キーボード上の整合式キー文字表を表示する。
【００１６】
上述の本発明のマイクロ型キーボードのうち、モニター上に表示した整合式キーは整合式キー文字表に対応し、明らかな標記（例として色反転）によって、指で接触した整合式キー上の位置の文字を標示する。
【００１７】
上述の本発明のマイクロ型キーボードのうち、整合式キーは、モニター上に表示した整合式キー文字表に対応し、指が接触したマイクロ型キーボード上の整合式キーを標示し、指を離すと標示が消失する。
【００１８】
上述の本発明のマイクロ型キーボードのうち、整合式キーは、モニター上に表示した整合式文字表に対応し、異なる言語文字状態において、すべての字母及び符号を表示し、指で接触した文字上に特殊標記する。
【課題を解決するための手段】
【００１９】
請求項１の発明は、キーボード基台上に複数個の整合式キーを設置し、各整合式キーに依って整合されるマイクロ型キーボードにおいて、この整合式キー上には、接触センサー板が設置され、一個以上の区画に分けられ、更に各一区画には対応する文字を設定し、これによって同一指で操作可能な文字入力語彙群を整合式キーとすることを特徴とするマイクロ型キーボードとしている。
請求項２の発明は、前記整合式キーは、指運動の軌跡に基づき、一筋のキーを設計し、複数個の整合式キーをキーボード基台上に配列して分布することを特徴とする請求項１記載のマイクロ型キーボードとしている。
請求項３の発明は、前記整合式キーは、表面の特定位置に凸紋を設置して指をスピーディに定位して識別することを特徴とする請求項１記載のマイクロ型キーボードとしている  請求項４の発明は、前記整合式キーは、表面の辺縁一側辺突起を具え、指運動を安定させることを特徴とする請求項１記載のマイクロ型キーボードとしている。
請求項５の発明は、前記整合式キーは、表面がやや反った円弧形曲面を具えることを特徴とする請求項１記載のマイクロ型キーボードとしている。
請求項６の発明は、前記マイクロ型キーボードは、更にカーソル接触制御板を設置し、マウスとして使用することを特徴とする請求項１記載のマイクロ型キーボードとしている。
請求項７の発明は、前記キーボード基台は、更に無線送受信器を設置してホストコンピュータのホストポート無線送受信器に連接してホストコンピュータと無線で連結することを特徴とする請求項１記載のマイクロ型キーボードとしている。
請求項８の発明は、前記マイクロ型キーボードは、ノート型パソコンのキーボードであることを特徴とする請求項１記載のマイクロ型キーボードとしている
請求項９の発明は、前記整合式キーは、各区画に対応する文字がホストコンピュータと共にモニター上に一個以上の整合式キー文字表を表示することを特徴とする請求項１記載のマイクロ型キーボードとしている。
請求項１０の発明は、  前記マイクロ型キーボードは、独立した左手操作基台と独立した右手操作基台から構成されることを特徴とする請求項１記載のマイクロ型キーボードとしている。
請求項１１の発明は、前記左手、右手操作基台は、各々一対以上の対応する掛合部品が設置され、キーボード基台を合わせることを特徴とする請求項１０記載のマイクロ型キーボードとしている。
【発明の効果】
【００２０】
本発明のマイクロ型キーボードは、キーボードの体積、キーの数を有効に減らして、入力ミスを減らすという利点がある。
【発明を実施するための最良の形態】
【００２１】
図２、３に示すとおり、本発明のマイクロ型キーボード２は、キーボード基台２０上に複数の整合式キー２１が設置される。このマイクロ型キーボード２とホストコンピュータＣは連接し、このホストコンピュータＣ内には駆動ソフトが含まれる。
【００２２】
このキーボード基台２０は、連接ポート２０１を具え、ホストコンピュータＣと連接する。そのうちキーボードコントローラ２０２を具え、指の接触と押圧等信号をシークする。
【００２３】
この整合式キー２１は、キーボード内の同一指操作可能な文字入力語彙群を整合式キーとし、その整合式キー２１上に接触センサー板２１０を設置し、且つ一個以上の区画２１１に分ける。また各区画２１１にはそれに対応する文字を対応し、同一指で操作できる文字入力語彙群をすべて整合式キー２１とし、そのキーボード基台２０のキーボードコントローラ２０２と連接する。
【００２４】
また上述の整合式キー２１は、更にキースイッチ２１２を含み、そのキースイッチ２１２はセンサー式のキースイッチであるか、もしくは押圧式キースイッチである。
【００２５】
上述部品の組立ては、下述に示すとおりである（図２、３、４、５）：
（１）接触信号を受信して座標を取得する（ステップ９０１）。整合式キー２１の接触センサー板２１０が指接触を受信して信号を発し、指接触位置の区画２１１を取得する、
（２）信号をホストコンピュータへ伝送する（ステップ９０２）。指接触位置２の区画２１１信号を取得し、キーボードコントローラ２０２へ伝送した後、ホストコンピュータＣへ伝送する、
（３）整合式キー文字表を表示する（ステップ９０３）。モニターＭが整合式キー文字表Ａを表示する、
（４）文字を取得する（ステップ９０４）。キーボードコントローラ２０２が現在対応している整合式キーの文字表Ａに基づき、指接触した区画２１１が代表する文字を探し出す、
（５）文字提示し（ステップ９０５）、モニターＭは整合式キー文字表Ａを表示する。そのうち、指接触の文字が特殊標記Ａ１を表し（異なる色もしくは白）、ユーザに示す、
（６）接触信号が消える、もしくは消えない（ステップ９０６）。この整合式キー２１上の接触センサー板２１０は指接触信号が消える、もしくは消えないを受け、消える場合はステップ９０９へ、消えない場合は９０７へ進む、
（７）入力を確認する（ステップ９０７）。指五が整合式キー２１を押したかどうかシークして、ステップ９０８を実行するか、もしくは反対にステップ９０１を実行する、
（８）文字入力（ステップ９０８）。モニターＭ入力箇所に入力文字を表示し、ステップ９０１へ戻る、
（９）整合式キー文字表消失（ステップ９０９）。一定の遅延時間を経過すると、モニターＭ上の整合式キー文字表Ａが消失し、ステップ９０１へ戻る。
【００２６】
上述は本発明のマイクロ型キーボードであり、そのうちこの整合式キー２１はモニターＭ内の整合式キー文字表Ａ、Ａ´に対応し（図５、図１３参照）、異なる言語文字の状態に於いて、すべての字母及び符号を図１３ａ、ｂのとおり表示する。また指５が接触した文字上では特殊標記Ａ１（図５参照）を作る。
【００２７】
上述は本発明のマイクロ型キーボードであり、そのうち複数個の整合式キー２１（図５参照）、指運動の軌跡に基づき、一筋のキーとなっており、数個の整合式キー２１は、このキーボード基台２０上で配列して分布するので、ユーザの操作が便利である。
【００２８】
上述は本発明の整合式キー２１で、その表面の特定一には凸紋Ｄ（図６参照）が設置され、指をスピーディに定位させて識別する。
【００２９】
上述は本発明の整合式キー２１’で（図７参照）、その表面の辺縁には更に側辺突起Ｄ’を具え、指運動の軌跡を安定させる。
【００３０】
上述は本発明の整合式キー２１’’で（図８参照）、その表面は僅かに反った円弧形曲面Ｄ’’で、指の接触による誤動作を防止する。これにより、キーのタッチミスが減る。
【００３１】
上述は、本発明のマイクロ型キーボードで、更に独立した左手操作基台２Ａと独立した右手操作基台２Ｂから構成され（図９参照）、両手が独立して操作できる。更に左右操作基台２Ａ、２Ｂ上にそれぞれ一対以上の対応する掛合部品２Ａ’、２Ｂ’が設置され、ユーザの必要に応じて左、右操作基台２Ａ、２Ｂ単独で分けて使用、もしくはキーボード基台を掛合して使用することができる（図１０参照）。
【００３２】
また本発明のマイクロ型キーボード２’（図１１参照）は、カーソル接触制御板２２’を含み、マウスとして使用する。
【００３３】
本発明のマイクロ型キーボード２’’は（図１２参照）、このキーボード基台２０’’内に無線送受信器２３’’を設置し、ホストコンピュータＣ’に連接してホストの無線送受信器Ｃ１’と共に使用し、本発明が無限でホスト機Ｃ’と連結する。
【図面の簡単な説明】
【００３４】
【図１】公知パソコン鍵盤の指示図である。
【図２】本発明の立体図である。
【図３】本発明をホストコンピュータに連接した簡易ブロックダイアグラムである。
【図４】本発明の作動フローチャートである。
【図５】本発明をホストコンピュータに連接した操作図である。
【図６】本発明の整合式キー実施例図（一）である。
【図７】本発明の整合式キー実施例図（二）である。
【図８】本発明の整合式キー実施例図（三）である。
【図９】本発明の実施例図（一）である。
【図１０】本発明の実施例図（二）である。
【図１１】本発明の実施例図（三）である。
【図１２】本発明の実施例図（四）である。
【図１３】本発明の実施例図（五）である。
【符号の説明】
【００３５】
１  コンピュータキーボード
１０  基台
１１  キー
２、２’  マイクロ型キーボード
２０、２０’  キーボード基台
２１、２１’、２１’’  整合式キー
２０１  連接ポート
２０２  キーボードコントローラ
２１０  接触センサー板
２１１  区画
２１２  キースイッチ
２２’  カーソル接触制御板
２３’’  無線送受信器
２Ａ  左手操作基台
２Ｂ  右手操作基台
２Ａ’、２Ｂ’  掛合部品
５  指
Ａ  整合式キー文字表
Ａ’  整合式文字表
Ａ１  特殊標記
Ｃ、Ｃ’  ホストコンピュータ
Ｃ１’  ホストポート無線送受信器
Ｄ  凸紋
Ｄ’  側辺突起
Ｄ’’  円弧形曲面
Ｍ  モニター
【図１】
2007157105.tif 000003
【図２】
2007157105.tif 000004
【図３】
2007157105.tif 000005
【図４】
2007157105.tif 000006
【図５】
2007157105.tif 000007
【図６】
2007157105.tif 000008
【図７】
2007157105.tif 000009
【図８】
2007157105.tif 000010
【図９】
2007157105.tif 000011
【図１０】
2007157105.tif 000012
【図１１】
2007157105.tif 000013
【図１２】
2007157105.tif 000014
【図１３】
2007157105.tif 000015